(57)【要約】【課題】  一人でも迅速且つ容易に構築することのできる施工性に優れた簡易構造物の提供。【解決手段】  左右方向に間隔をおいて配置した左右の支柱１，１と、各支柱に前後方向に片持ち状に取付けた左右の梁２，２と、左右の梁の先端部側下面間に架設した前横材３と、左右の梁の中間部下面間に架設した中間横材４ａ，４ｂと、左右方向に並べて配置した複数の屋根パネル５ａ，５ｂ，…，５ｆと、左右の支柱に架設し屋根パネルの後端部と対向する位置に配置した雨樋６と、屋根パネルを前及び中間の横材に各々繋ぐ連結具７とを備え、各屋根パネルは、互いの左右方向側端部を嵌合し合い且つ後端部を雨樋に嵌合するものであり、連結具７は、基板８と前側板９と後側板１０とからなる断面コ字状のピース部材であって、基板を屋根パネルに固定するとともに、前側板と後側板の上端面１１を横材に設けた段部３０に当接し、且つ前側板と後側板とで横材を前後から挟み、前後方向のボルト・ナット１２，１３で横材に固定してある。【選択図】      図１
2004308402.tif 000002
【特許請求の範囲】
【請求項１】
左右方向に間隔をおいて配置した左右の支柱と、各支柱に前後方向に片持ち状に取付けた左右の梁と、左右の梁の先端部側下面間に架設した前横材と、左右の梁の中間部下面間に架設した中間横材と、左右方向に並べて配置した複数の屋根パネルと、左右の支柱に架設し屋根パネルの後端部と対向する位置に配置した雨樋と、屋根パネルを前及び中間の横材に各々繋ぐ連結具とを備え、屋根パネルは、互いの左右方向側端部を嵌合し合い且つ後端部を雨樋に嵌合するものであり、連結具は、基板と前側板と後側板とからなる断面略コ字状のピース部材であって、基板を屋根パネルに固定するとともに、前側板と後側板の上端面を横材に設けた段部に当接し、且つ前側板と後側板とで横材を前後から挟み、前後方向のボルト・ナットで横材に固定してあることを特徴とする簡易構造物。
【請求項２】
左右方向に間隔をおいて配置した左右の支柱と、各支柱に前後方向に片持ち状に取付けた左右の梁と、左右の梁の先端部側下面間に架設した前横材と、左右の梁の中間部下面間に架設した中間横材と、左右方向に並べて配置した複数の屋根パネルと、左右の支柱に架設し屋根パネルの後端部と対向する位置に配置した雨樋と、屋根パネルを前及び中間の横材に各々繋ぐ連結具とを備え、屋根パネルは、互いの左右方向側端部を嵌合し合い且つ後端部を雨樋に嵌合するものであって、左側に位置する屋根パネルの右側端部に右側枠を、右側に位置する屋根パネルの左側端部に左側枠を固定してあり、右側枠と左側枠は、パネル嵌め込み部と嵌合連結部を背中合わせに一体に有する同一断面形状の部材であって、何れか一方を他方に対して上下反転して屋根パネルに固定してあり、嵌合連結部が互いに嵌合し合うことを特徴とする簡易構造物。
【請求項３】
屋根パネルは、左側に位置する屋根パネルの右側端部に右側枠を、右側に位置する屋根パネルの左側端部に左側枠を固定してあり、右側枠と左側枠は、パネル嵌め込み部と嵌合連結部を背中合わせに一体に有する同一断面形状の部材であり、何れか一方を他方に対して上下反転して屋根パネルに固定してあり、嵌合連結部が互いに嵌合し合うことを特徴とする請求項１記載の簡易構造物。
【発明の詳細な説明】
【技術分野】
【０００１】
本発明は、片持ち式の屋根を持つカーポート等の簡易構造物に関する。
【背景技術】
【０００２】
通常のカーポートは、２本の支柱に梁が片持ち状に設けられ、梁上に桁や野縁等を固定して屋根の骨組が形成され、その骨組の上に適当な大きさに分割された樹脂製のパネルを載せ、パネル押えによってパネルを骨組に固定している。カーポートの施工において、屋根の骨組の構築、パネルの取付けは、脚立等に乗っての高所での作業となるため、多大な労力と神経を必要とする。
【０００３】
最近のカーポートでは、屋根を梁の下に吊り下げるように設置したものがある（例えば特許文献１、２参照）。このタイプのカーポートは、屋根を地上で完成させてから持ち上げ、屋根の前側と後側の端部を梁と柱に金具で固定するようにしている。この方式によれば、高所における作業が大幅に減るため、その点では施工が楽になるが、完成された屋根は相当な重量になるから、これを持ち上げて梁等に固定する作業が大変になる。
【特許文献１】特開平５−５２０４７号公報
【特許文献２】特開平１１−９３２６７号公報
【発明の開示】
【発明が解決しようとする課題】
【０００４】
本発明は以上に述べた実情に鑑みてなされたものであって、屋根の施工のしやすい簡易構造物の提供を目的とする。
【課題を解決するための手段】
【０００５】
上記の課題を達成するために請求項１記載の発明による簡易構造物は、左右方向に間隔をおいて配置した左右の支柱と、各支柱に前後方向に片持ち状に取付けた左右の梁と、左右の梁の先端部側下面間に架設した前横材と、左右の梁の中間部下面間に架設した中間横材と、左右方向に並べて配置した複数の屋根パネルと、左右の支柱に架設し屋根パネルの後端部と対向する位置に配置した雨樋と、屋根パネルを前及び中間の横材に各々繋ぐ連結具とを備え、屋根パネルは、互いの左右方向側端部を嵌合し合い且つ後端部を雨樋に嵌合するものであり、連結具は、基板と前側板と後側板とからなる断面略コ字状のピース部材であって、基板を屋根パネルに固定するとともに、前側板と後側板の上端面を横材に設けた段部に当接し、且つ前側板と後側板とで横材を前後から挟み、前後方向のボルト・ナットで横材に固定してあることを特徴とする。なお「ピース部材」とは、長尺の部材ではないことを意味する。
【０００６】
請求項２記載の発明による簡易構造物は、左右方向に間隔をおいて配置した左右の支柱と、各支柱に前後方向に片持ち状に取付けた左右の梁と、左右の梁の先端部側下面間に架設した前横材と、左右の梁の中間部下面間に架設した中間横材と、左右方向に並べて配置した複数の屋根パネルと、左右の支柱に架設し屋根パネルの後端部と対向する位置に配置した雨樋と、屋根パネルを前及び中間の横材に各々繋ぐ連結具とを備え、屋根パネルは、互いの左右方向側端部を嵌合し合い且つ後端部を雨樋に嵌合するものであって、左側に位置する屋根パネルの右側端部に右側枠を、右側に位置する屋根パネルの左側端部に左側枠を固定してあり、右側枠と左側枠は、パネル嵌め込み部と嵌合連結部を背中合わせに一体に有する同一断面形状の部材であって、何れか一方を他方に対して上下反転して屋根パネルに固定してあり、嵌合連結部が互いに嵌合し合うことを特徴とする。
【０００７】
さらに請求項３記載の発明による簡易構造物は、請求項１記載の構成に加え、屋根パネルは、左側に位置する屋根パネルの右側端部に右側枠を、右側に位置する屋根パネルの左側端部に左側枠を固定してあり、右側枠と左側枠は、パネル嵌め込み部と嵌合連結部を背中合わせに一体に有する同一断面形状の部材であり、何れか一方を他方に対して上下反転して屋根パネルに固定してあり、嵌合連結部が互いに嵌合し合うことを特徴とする。
【発明の効果】
【０００８】
請求項１記載の発明による簡易構造物は、屋根パネルを横材に連結具で吊り下げる形で設置するので、屋根の骨組の上にパネルを取付ける従来のものと比べて、高所作業からくる危険度や疲労度が大きく軽減され、尚且つ屋根パネルは、左右方向に複数に分れたものを側端部で嵌合させながら片側から順次構築する構造なので、能率良く簡単に施工できる。また、そのように屋根パネルが構造材からピース状の連結具で直接吊り下げ支持された屋根構造は、従来の簡易構造物にはなかったものであり、さながらカーテンウォールにおけるＤＰＧ（Dot Point Glazing）工法のような斬新な印象を見る者に与える。さらに、屋根パネルを連結具で横材に連結したことにより、横材と屋根パネルの間に隙間が形成され、雨の流れが良く、ゴミも溜まらない。また連結具は、基板と前側板と後側板とからなる断面コ字状のピース部材であって、基板を屋根パネルに固定するとともに、前側板と後側板の上端面を横材に設けた段部に当接し、且つ前側板と後側板とで横材を前後から挟み、前後方向のボルト・ナットで横材に固定してあることで、連結具が横材に回転したり滑ったりすることなく強固に固定され、且つ連結具自体の強度も高められるため、屋根パネルの支持・固定が十分に強固になされる。しかも連結具は、所定形状に切断した金属の板材を折り曲げるだけで安価に製作でき、シンプルな構成で見掛けも良いので、簡易構造物の意匠面の向上にも寄与する。
【０００９】
また、請求項２記載の発明による簡易構造物は、左側に位置する屋根パネルの右側端部に右側枠を、右側に位置する屋根パネルの左側端部に左側枠を固定してあり、右側枠と左側枠は、パネル嵌め込み部と嵌合連結部を背中合わせに一体に有する同一断面形状の部材を上下反転して用いたものであって、且つ嵌合連結部が互いに嵌合し合うようにしたので、屋根パネルの部品製作のための労力及びコストの削減、組立作業の容易化が図られる。
【００１０】
請求項３記載の発明による簡易構造物は、上記した全ての効果を有する。
【発明を実施するための最良の形態】
【００１１】
以下、本発明の実施の形態を図面に基づいて説明する。図１は、本発明の簡易構造物の一実施形態であるカーポートを示す縦断面図であり、図２は、同カーポートの斜視図である。このカーポートは、敷地に左右２本の支柱１，１が立設され、各支柱１の上端部にＬ字形の連結金具１８を介して左右の梁２が前後方向に片持ち状に取付けてある。左右の梁２，２の先端部側下面間には前横材３が架設され、左右の梁２，２の中間部下面間には２本の中間横材４ａ，４ｂが架設されている。屋根パネル５ａ，…，５ｆは、多数のピース状連結具７により、横材３，４ａ，４ｂから直接吊り下げる形で設置されている。屋根パネルの後端部と対向する位置には、左右の支柱１，１に架設する形で雨樋６を設置してある。
【００１２】
屋根パネルは、６枚の屋根パネル５ａ，…，５ｆを左右方向に連結して構成してある。各屋根パネル５ａ，…，５ｆには、図６に示すように、右側端部に右側枠１４が取付けられ、左側端部に左側枠１５が取付けられている。また各屋根パネル５ａ，…，５ｆは、図１に示すように、後端部が雨樋６の前面側に設けたパネル保持溝１９に嵌め込んである。右側枠１４と左側枠１５は、パネル嵌め込み部１６と、隣接する屋根パネル間で側枠同士を連結するための嵌合連結部１７とを、背中合わせに一体に有する略Ｈ形の同一断面形状の部材となっており、これを上下反転して使用している。パネル嵌め込み部１６内にはＵ字ビード２０を備え、屋根パネル５ａ，…，５ｆの側端部を保持している。嵌合連結部１７は、横方向に相対して延びる長さの異なる係止片２１ａ，２１ｂによって形成され、短い方の係止片２１ａが相手形の嵌合連結部１７内に挿入され、長い方の係止片２１ｂは先端に鉤状に折れ曲った部分を備え、この係止片２１ｂが相手方のパネル嵌め込み部１６の外側面を覆うような形で係止する。右側枠１４と左側枠１５は、そのように互いの嵌合連結部１７，１７で上下方向及び左右方向に嵌合し合い、止めネジ２２で乖離不能に固定される。なお、最も左側に位置する屋根パネル５ａの左側端部と、最も右側に位置する屋根パネル５ｆの右側端部には、断面コ字状となった側端部枠２３が取付けられる。また、屋根パネル５ａ，…，５ｆの前端部には前端部枠２４が取付けられ、前端部枠２４は、右側枠１４、左側枠１５、及び側端部枠２３に、止めネジ２５で固定される。
【００１３】
連結具７は、金属の板をコ字状に折り曲げて形成したピース部材となっており、図４に示すように、前側板９、後側板１０、基板８を有している。基板８は円形に形成され、下面側にパネルの接着部２６を備えている。基板８は、図３に示すように、屋根パネル５ａ，…，５ｆの上面に接着し、尚且つパネルの下に配置した受け板２７より皿ビス２８を挿通し、上から袋ナット２９を掛けることにより、強固に屋根パネルに固定される。また連結具７は、前側板９の上部と後側板１０の上部とで横材３，４ａ，４ｂを前後から挟み、ボルト１２を挿通してナット１３掛けすることにより横材３，４ａ，４ｂに固定される。各横材３，４ａ，４ｂの側面には段部３０を設けて、下部側の幅が若干狭くなるように形成してあり、前側板９及び後側板１０の上端面１１がその段部３０に当接している。これにより連結具７は、ボルト１２を支点として回動することがなく、また、強風によって屋根パネルを持ち上げるような力が作用しても滑って移動することがなく、横材に強固に固定される。連結具７は一枚の屋根パネル５ａ，…，５ｆごとに計６ケ使用しており、屋根パネルの荷重が、前横材３、中間横材４ａ，４ｂに分散して掛かるようにしている。
【００１４】
以下、このカーポートを施工する際の手順を示す。まず敷地に左右の支柱１，１を立設し、各支柱に梁２，２を取付ける。次に、左右の梁２，２に前横材３、中間横材４ａ，４ｂを架設すると共に、左右の支柱１，１間に雨樋６を架設する。次に、図５に示すように、６枚の屋根パネル５ａ，…，５ｆを片側から順番に取付ける。各屋根パネル５ａ，…，５ｆには、右側枠１４及び左側枠１５（両サイドに位置するものには側端部枠２３）、連結具７を、予め取付けておく。各屋根パネル５ａ，…，５ｆの取付けは、パネル後端部を雨樋６のパネル保持溝１９に嵌め込み、且つ側端部の右側枠１４ないし左側枠１５を、隣の屋根パネルの左側枠１５ないし右側枠１４と嵌合させると共に、手前側に設けた連結具７を前横材３にボルト・ナット１２，１３で固定し、後側の連結具７を中間横材４ａ，４ｂにボルト・ナット１２，１３で固定して行う。なお、屋根パネル５ａ，…，５ｆの取付けは、左側のものから順に行ってもよいし、右側のものから順に行ってもよい。全ての屋根パネルの取付けが終わったら、パネルの前端部に前端部枠２４を取付けて完成する。
【００１５】
本発明は、以上に述べた実施形態には限定されない。連結具は、屋根パネルを簡便に横材に連結することができて、且つその上端部が横材にぐらぐらしないようにしっかりと固定されるものであればよい。各屋根パネルは、隣接するものの側端部同士が嵌合するように形成してあればよく、必ずしも同一断面形状の右側枠と左側枠を用いなくてもよい。また本発明は、カーポートに限らず、サイクルポート、テラス等、片持ち式の屋根を持つ様々な簡易構造物に適用することができる。
【図面の簡単な説明】
【００１６】
【図１】本発明の一実施形態であるカーポートの前後方向における縦断面図である。
【図２】本発明の一実施形態であるカーポートの斜視図である。
【図３】横材とパネルとの連結部分の構成を示す縦断面図である。
【図４】（イ）は連結具の実施形態を示す正面図、（ロ）は連結具の実施形態を示す底面図である。
【図５】（イ）（ロ）は屋根パネルを設置する際の過程を上から見た図である。
【図６】屋根パネルの左右方向の縦断面図である。
【図７】屋根パネルの前端部を示す縦断面図である。
【符号の説明】
【００１７】
１  支柱
２  梁
３  前横材
４ａ，４ｂ  中間横材
５ａ，５ｂ，５ｃ，５ｄ，５ｅ，５ｆ  屋根パネル
６  雨樋
７  連結具
８  基板
９  前側板
１０  後側板
１１  前側板、後側板の上端面
１２  ボルト
１３  ナット
１４  右側枠
１５  左側枠
１６  パネル嵌め込み部
１７  嵌合連結部
３０  段部
【図１】
2004308402.tif 000003
【図２】
2004308402.tif 000004
【図３】
2004308402.tif 000005
【図４】
2004308402.tif 000006
【図５】
2004308402.tif 000007
【図６】
2004308402.tif 000008
【図７】
2004308402.tif 000009